【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
光源からの光の透過を調整するためのデバイスであって、電流に応じて可変である光透過率を有するエレクトロクロミックグレージングと、少なくとも１つの光電モジュールであって、該光電モジュールに入射する前記光源からの光に応じて前記エレクトロクロミックグレージングに前記電流を提供するために、前記エレクトロクロミックグレージングに電気的に接続される、少なくとも１つの光電モジュールと、前記光電モジュール又は前記エレクトロクロミックグレージングのいずれかと通信する電子モジュールと、を備えるデバイス。
【請求項２】
前記電子モジュールは、ビルディングオートメーションシステムと無線通信する、請求項１に記載のデバイス。
【請求項３】
前記光電モジュールは、前記エレクトロクロミックグレージングに隣接して外部の建造物骨組上に搭載される、請求項１に記載のデバイス。
【請求項４】
前記光電モジュールは、前記エレクトロクロミックグレージングの外部表面に搭載される、請求項１に記載のデバイス。
【請求項５】
前記エレクトロクロミックグレージングは、少なくとも２つのガラス板の積層体であり、前記光電モジュールは前記積層体のガラス板間に搭載される、請求項１に記載のデバイス。
【請求項６】
前記電子モジュールは、前記エレクトロクロミックグレージングの内部表面若しくは外部表面に、又は、絶縁グレージングユニット内に搭載される、請求項１に記載のデバイス。
【請求項７】
前記電子モジュールは、内部又は外部の建造物骨組上で前記エレクトロクロミックグレージングに隣接して搭載される、請求項１に記載のデバイス。
【請求項８】
前記光電モジュールは外部表面上に配置され、前記電子モジュールは、内部骨組内において、フレーミングシステムの内部に配置されるか又は該フレーミングシステム内に突出し、該電子モジュールは、ビルディングオートメーションシステムと無線通信する、請求項１に記載のデバイス。
【請求項９】
前記光電モジュールは内部絶縁グレージング表面上に配置され、前記電子モジュールは内部骨組内に配置され、ビルディングオートメーションシステムと無線通信し、該電子モジュールは電池を更に備える、請求項８に記載のデバイス。
【請求項１０】
前記電子モジュールは日射強度に応答し、それにより、前記エレクトロクロミックグレージングは、利用可能な太陽光に比例して着色又は色付けされる、請求項１に記載のデバイス。
【請求項１１】
前記電子モジュールは、前記光電モジュールからの利用可能なエネルギーを監視する制御ロジック手段を備える、請求項１に記載のデバイス。
【請求項１２】
電池を更に備える、請求項１に記載のデバイス。
【請求項１３】
前記光電モジュール及び前記電子モジュールは組み合わされ、建造物骨組上で前記エレクトロクロミックグレージングに隣接して搭載される、請求項１に記載のデバイス。
【請求項１４】
前記電子モジュールは、ビルディングオートメーションシステムと無線通信する、請求項１３に記載のデバイス。
【請求項１５】
前記光電モジュールは、電気的フィードスルーを通して前記電子モジュールに接続される、請求項１に記載のデバイス。
【請求項１６】
前記光電モジュールは、無線エネルギー転送手段によって前記電子モジュールに結合される、請求項１に記載のデバイス。 
【手続補正２】
【補正対象書類名】明細書
【補正対象項目名】００６３
【補正方法】変更
【補正の内容】
【００６３】
本発明は特定の実施形態を参照しながら本明細書において説明されてきたが、これらの実施形態は本発明の原理及び応用形態を例示するにすぎないことは理解されたい。それゆえ、添付の特許請求の範囲によって規定されるような本発明の趣旨及び範囲から逸脱することなく、例示的な実施形態に数多くの変更を加えることができること、及び他の構成を考案することができることは理解されたい。
なお、出願当初の特許請求の範囲は以下の通りである。
（請求項１）
光源からの光の透過を調整するためのデバイスであって、電流に応じて可変である光透過率を有するエレクトロクロミックグレージングと、少なくとも１つの光電モジュールであって、該光電モジュールに入射する前記光源からの光に応じて前記エレクトロクロミックグレージングに前記電流を提供するために、前記エレクトロクロミックグレージングに電気的に接続される、少なくとも１つの光電モジュールと、前記光電モジュール又は前記エレクトロクロミックグレージングのいずれかと通信する電子モジュールと、を備えるデバイス。
（請求項２）
前記電子モジュールは、ビルディングオートメーションシステムと無線通信する、請求項１に記載のデバイス。
（請求項３）
前記光電モジュールは、内部又は外部の建造物骨組上で前記エレクトロクロミックグレージングに隣接して搭載される、請求項１に記載のデバイス。
（請求項４）
前記光電モジュールは、前記エレクトロクロミックグレージングの内部表面若しくは外部表面に、又は、絶縁グレージングユニット内に搭載される、請求項１に記載のデバイス。
（請求項５）
前記エレクトロクロミックグレージングは、少なくとも２つのガラス板の積層体であり、前記光電モジュールは前記積層体のガラス板間に搭載される、請求項１に記載のデバイス。
（請求項６）
前記電子モジュールは、前記エレクトロクロミックグレージングの内部表面若しくは外部表面に、又は、絶縁グレージングユニット内に搭載される、請求項１に記載のデバイス。
（請求項７）
前記電子モジュールは、内部又は外部の建造物骨組上で前記エレクトロクロミックグレージングに隣接して搭載される、請求項１に記載のデバイス。
（請求項８）
前記光電モジュール及び前記電子モジュールは、異なる場所に搭載される、請求項１に記載のデバイス。
（請求項９）
前記光電モジュールは外部表面上に配置され、前記電子モジュールは、フレーミングシステムの内部に配置されるか又は該フレーミングシステム内に突出し、前記電子モジュールは、ビルディングオートメーションシステムと無線通信する、請求項８に記載のデバイス。
（請求項１０）
前記光電モジュールは外部表面上に配置され、前記電子モジュールは、内部骨組内に配置され、前記電子モジュールは、ビルディングオートメーションシステムと無線通信する、請求項８に記載のデバイス。
（請求項１１）
前記電子モジュールは電池を更に備える、請求項１０に記載のデバイス。
（請求項１２）
前記光電モジュールは内部絶縁グレージング表面上に配置され、前記電子モジュールは内部骨組内に配置され、前記電子モジュールはビルディングオートメーションシステムと無線通信し、前記電子モジュールは電池を更に備える、請求項８に記載のデバイス。
（請求項１３）
前記光電モジュールは、エレクトロクロミックガラス積層体内に配置される、請求項１２に記載のデバイス。
（請求項１４）
前記光電モジュール及び前記電子モジュールは組み合わされて単一ユニットにされる、請求項１に記載のデバイス。
（請求項１５）
前記組み合わされた光電モジュール及び電子モジュールは、１０ｍｍ未満の厚さを有する、請求項１４に記載のデバイス。
（請求項１６）
前記電子モジュールは、日射強度に応答し、それにより、前記エレクトロクロミックグレージングは、利用可能な太陽光に比例して着色又は色付けされる、請求項１に記載のデバイス。
（請求項１７）
前記電子モジュールは、制御ロジック手段を備える、請求項１に記載のデバイス。
（請求項１８）
前記制御ロジック手段は、前記光電モジュールからの利用可能なエネルギーを監視する、請求項１７に記載のデバイス。
（請求項１９）
電池を更に備える、請求項１に記載のデバイス。
（請求項２０）
前記光電モジュール及び前記電子モジュールは組み合わされ、建造物骨組上で前記エレクトロクロミックグレージングに隣接して搭載される、請求項１に記載のデバイス。
（請求項２１）
前記電子モジュールは、ビルディングオートメーションシステムと無線通信する、請求項２０に記載のデバイス。
（請求項２２）
前記電子モジュールは、エレクトロクロミックグレージング配線に並列に配線された光電モジュール及び抵抗器を備える、請求項１に記載のデバイス。
（請求項２３）
前記光電モジュールは、電気的フィードスルーを通して前記電子モジュールに接続される、請求項１に記載のデバイス。
（請求項２４）
前記光電モジュールは、無線エネルギー転送手段によって前記電子モジュールに結合される、請求項１に記載のデバイス。
（請求項２５）
光源からの光の透過を調整するためのデバイスであって、電流に応じて可変である光透過率を有するエレクトロクロミックグレージングと、少なくとも１つの光電モジュールであって、該光電モジュールに入射する前記光源からの光に応じて前記エレクトロクロミックグレージングに前記電流を提供するために、前記エレクトロクロミックグレージングに電気的に接続される、少なくとも１つの光電モジュールと、前記光電モジュール又は前記エレクトロクロミックグレージングのいずれかと通信する電子モジュールと、を備え、前記電子モジュールは、ビルディングオートメーションシステムと無線通信する、デバイス。